(57)【特許請求の範囲】
【請求項１】
軸部に複数の羽根が付いた杭をオーガを装着した杭打機によって地盤に回転圧入する際、軸部の振れを規制して当該杭の芯振れを防止する振れ止め装置において、
前記杭打機に立設されたリーダのガイドロッドを摺動可能に把持するガイドギブを備え、前記羽根が通過可能な大きさの径で形成された円筒状の枠体内に、前記軸部の径方向移動を制限するように突設されたガイド部材が、前記羽根のピッチに対応して螺旋状に形成され、そのガイド部材の端部にテーパが形成されたものであることを特徴とする振れ止め装置。
【請求項２】
請求項１に記載の振れ止め装置において、
揺動自在に軸支された一対の開閉アームを有し、当該開閉アームが閉状態で連結された場合に、前記円筒状の枠体が構成され、前記螺旋状のガイド部材が連続するものであることを特徴とする振れ止め装置。
【請求項３】
請求項１に記載の振れ止め装置において、
前記ガイド部材は、螺旋状にねじられた板材、または螺旋状に配置された複数のブロックであることを特徴とする振れ止め装置。
【請求項４】
軸部に複数の羽根が付いた杭をオーガを装着した杭打機によって地盤に回転圧入する際、軸部の振れを規制して当該杭の芯振れを防止するものであり、前記杭打機に立設されたリーダのガイドロッドを摺動可能に把持するガイドギブを備え、前記羽根が通過可能な大きさの径で形成された円筒状の枠体内に、前記軸部の径方向移動を制限するように突設されたガイド部材が、前記羽根のピッチに対応して螺旋状に形成された振れ止め装置であって、
その振れ止め装置をリーダに沿って昇降させて高さ位置を調整すべく、杭打機のリーダ下端に設けられたストッパ上にバネを介して配置させたことを特徴とする振れ止め装置の取り付け構造。
【発明の詳細な説明】
【０００１】
【発明の属する技術分野】
本発明は、杭の回転圧入施工時に杭芯の振れを防止するための振れ止め装置に関し、特に振れ止めしながら杭に設けられた羽根を通過させることができる振れ止め装置に関する。
【０００２】
【従来の技術】
基礎杭を打ち込むための鋼管圧入工法では、杭打機本体に立設したリーダに対してオーガを昇降可能に装着し、そのオーガに連結した鋼管杭に回転を与えることによって圧入が行われる。図１２は、そうしたオーガを装着した杭打機を示した側面図である。杭打機２００は、立設されたリーダ２０１に作業機としてオーガ２１０が装着され、鋼管杭１００がそのオーガ２１０から回転駆動を受けるべく連結されている。そして、リーダ２０１の下端には、鋼管杭１００の芯振れを防止して真っ直ぐに掘進させるための振れ止め装置２２０が設けられている。
【０００３】
振れ止め装置２２０は、リーダ２０１の下端に取り付けられ、鋼管杭１００を軽くホールドするためのガイド部を有し、そのガイド部は、鋼管杭１００をくわえ込めるように左右に開閉可能な構造となっている。そこで、オーガ２１０の駆動によって鋼管杭１００に回転が与えられると、羽根１１０，１１０…の推進力によって鋼管杭１００が地中へと掘進する。こうした鋼管杭１００は、地中へと掘り進んで行く間に硬い石等に当たり、その抵抗によって横に振れるような力が作用するが、リーダ２０１下端の振れ止め装置２２０によってガイドされて振れが抑えられるので真っ直ぐに打ち込まれる。
【０００４】
【発明が解決しようとする課題】
ところで、鋼管杭１００には、掘進時に推進力を得るための羽根を下端にのみ備えるものと、図示するような推進力に加えて打ち込んだ際に基礎杭としてより安定させるための上下に複数の羽根１１０，１１０…を備えるものとがある。しかしながら、従来の振れ止め装置２２０は、そうした複数の羽根１１０，１１０…を有する鋼管杭１００を打ち込む場合、羽根１１０が何度も通過することになるため、その度にガイド部を開閉させなければならず非常に面倒であった。また、特に羽根１１０，１１０…の数が多い鋼管杭１００では、ガイド部が開いて振れ止めできない時間が長くなってしまい、実質的に振れ止め装置として機能させることができなくなるという問題があった。
【０００５】
そこで、本発明は、杭の振れ止め状態で羽根を通過させることができる振れ止め装置を提供することを目的とする。
【０００６】
【課題を解決するための手段】
本発明の振れ止め装置は、軸部に複数の羽根が付いた杭をオーガを装着した杭打機によって地盤に回転圧入する際、軸部の振れを規制して当該杭の芯振れを防止するものであって、前記杭打機に立設されたリーダのガイドロッドを摺動可能に把持するガイドギブを備え、前記羽根が通過可能な大きさの径で形成された円筒状の枠体内に、前記軸部の径方向移動を制限するように突設されたガイド部材が、前記羽根のピッチに対応して螺旋状に形成され、そのガイド部材の端部にテーパが形成されたものであることを特徴とする。
【０００７】
また、本発明の振れ止め装置は、揺動自在に軸支された一対の開閉アームを有し、当該開閉アームが閉状態で連結された場合に、前記円筒状の枠体が構成され、前記螺旋状のガイド部材が連続するものであることが望ましい。
また、本発明の振れ止め装置は、前記ガイド部材が、螺旋状にねじられた板材、または螺旋状に配置された複数のブロックであることが望ましい。
【０００８】
よって、本発明によれば、回転圧入する杭の羽根が螺旋ガイド部材に沿って螺進するので、そのガイド部材によって杭の軸部を軽くホールドして振れ止めした状態で羽根を通過させることができる。そのため、ガイド部材によって常に軸部をガイドした杭の振れ止めを行うことができ、精度の良い確実な施工ができるようになった。
【０００９】
また、振れ止め装置は、軸部に羽根が付いた杭をオーガを装着した杭打機によって地盤に回転圧入する際、軸部の振れを規制して当該杭の芯振れを防止するものであって、前記軸部が通過可能な大きさの径で形成された円筒状の縦孔の回りを上下に抜けるように連続して形成されたガイド溝が、羽根のピッチに対応して螺旋状に形成されたものであってもよい。
また、振れ止め装置は、揺動自在に軸支された一対の開閉アームを有し、当該開閉アームが閉状態で連結された場合に、各開閉アームに形成された縦溝が前記縦孔を構成し、各開閉アームに形成されたガイド溝が螺旋状に連続するように構成されたものであってもよい。
【００１０】
前記振れ止め装置によれば、回転圧入する杭の羽根が螺旋ガイド溝に沿って螺進するので、縦孔によって杭の軸部を軽くホールドして芯振れを防止した状態で羽根を通過させることができ、そのため常に軸部をガイドして杭の振れ止めを行うことができ、精度の良い確実な施工ができるようになるからである。
【００１１】
また、本発明に係る振れ止め装置の取り付け構造は、軸部に複数の羽根が付いた杭をオーガを装着した杭打機によって地盤に回転圧入する際、軸部の振れを規制して当該杭の芯振れを防止するものであり、前記杭打機に立設されたリーダのガイドロッドを摺動可能に把持するガイドギブを備え、前記羽根が通過可能な大きさの径で形成された円筒状の枠体内に、前記軸部の径方向移動を制限するように突設されたガイド部材が、前記羽根のピッチに対応して螺旋状に形成された振れ止め装置であって、その振れ止め装置をリーダに沿って昇降させて高さ位置を調整すべく、杭打機のリーダ下端に設けられたストッパ上にバネを介して配置させたことを特徴とする。
【００１２】
よって、前記取り付け構造の発明によれば、螺進する羽根が突き当たるような場合でも、バネが縮んで振れ止め装置全体が下降することによって逃げることができ、また羽根のピッチどうりに杭が地中に入らない場合にでも、羽根の回転にならって振れ止め装置が上昇して、羽根をスムーズに通過させることができる。
【００１３】
また、振れ止め装置の取り付け構造は、前記ガイドギブを備えた振れ止め装置をリーダに沿って昇降させて高さ位置を調整すべく、杭打機のリーダに沿って取り付けられたシリンダに連結し、またはリーダに沿って送られたウインチからのワイヤロープに吊設させたものであってもよい。
杭の回転圧入によって羽根が所定位置まで下降したところで、ウインチやシリンダを駆動して螺進する羽根に合わせて振れ止め装置を上下させ、これにより羽根の突き当たりを回避でき、また羽根のピッチどうりに杭が地中に入らない場合にもスムーズに羽根を通過させることができるからである。
【００１４】
【発明の実施の形態】
次に、本発明に係る振れ止め装置の一実施形態について、図面を参照しながら以下に説明する。図１は、本実施形態の振れ止め装置を備えた杭打機の側面図であり、鋼管杭の打ち込み途中の状態を示している。杭打機１は、クローラによって走行可能な走行部１１に、操縦席などを備えた操作部１２が旋回可能に設けられており、その操作部１２の前方にはバックステー１３によって起伏可能なリーダ１４が設けられている。図示するように起立したリーダ１４には、鋼管杭１００を回転圧入させる作業装置としてオーガ２が装着されている。オーガ２は、リーダ１４と並行なガイドロッド１５を摺動可能に挟み込むガイドギブ１８を備えており、そのガイドギブ１８によってリーダ１４に沿った摺動による昇降を可能としている。
【００１５】
そのオーガ２には、鋼管杭１００が吊されるように連結され、その鋼管杭１００は、垂直に起立したリーダ１４と並行になるように垂設されている。本例で挙げる鋼管杭１００は、図示するように合計４枚の羽根１１０，１１０…を有するものである。そして、このように取り付けられた鋼管杭１００は、リーダ１４の下端に装着された振れ止め装置３によって軸部が軽くホールドされている。ここで図２は、振れ止め装置を示した平面図であるが、軽くホールドされたガイド状態の鋼管杭１００は、図示するように軸部１２０が振れ止め装置３によって直接掴まれるわけではなく、僅かな隙間を空けて周状に囲まれるようにして振れ止め装置３を貫通している。
【００１６】
本実施形態の振れ止め装置３は、図２に示すように、オーガ２と同じようにガイドギブ２７，３７が設けられ、それがガイドロッド１５，１５を両側から摺動可能に把持してリーダ１４に沿った昇降を可能にしている。一方、杭打機１のリーダ１４の下端にはストッパ１６があり、リーダ１４に沿って昇降可能な振れ止め装置３が、ストッパ１６上に載せられるようにしてリーダ１４下端に配置されている。従って、こうして取り付けられた振れ止め装置３は、上方にのみ移動を可能としている。
【００１７】
振れ止め装置３は、鋼管杭１００を杭打機１に取り付ける際横からくわえ込めるように、揺動自在な一対の開閉アーム２１，３１によって構成されている。開閉アーム２１，３１は、一端が支持体２２にピン２３，３３で軸支され、他端は、互いに重ね合わせたピン孔に固定ピン２４を挿入することによって閉状態となるように形成されている。そして、こうした各開閉アーム２１，３１には半円筒状のカラー２５，３５が内側に取り付けられ、図示するように閉じた状態で垂直方向に貫通する円筒状の枠体を構成するようになっている。カラー２５，３５は、閉じた状態で構成する円筒状の枠体が羽根１１０の外径よりも大きくなる曲率半径で形成されたものである。
【００１８】
そして、こうしたカラー２５，３５には、鋼管杭１００の軸部１２０をガイドしつつも、羽根１１０，１１０…の通過を可能とした螺旋ガイド２６，３６が突設されている。この螺旋ガイド２６，３６は、図３に示すように螺旋状にねじられた板状のガイド部材であり、両カラー２５，３５にわたってほぼ一周分の領域（図２参照）に設けられている。ガイド部材を螺旋ガイド２６，３６としたのは、回転しながら下降（螺進）する羽根１１０が通り抜けできるようにしたためであり、そのため螺旋ガイド２６，３６のピッチは羽根１１０のピッチに対応して形成されている。但し、羽根１１０が通り抜けできればよいので、螺旋ガイド２６，３６のピッチは、羽根１１０のピッチと厳密に一致している必要はない（後述する各形態の螺旋ガイドも同様である）。
【００１９】
こうした螺旋ガイド２６，３６は一定の肉厚があるため、螺進してきた羽根１１０が螺旋ガイド２６の端面に突き当たってしまったのでは鋼管杭１００の回転を止めてしまうことになる。一方、本形態では、前述したように振れ止め装置３をストッパ１６に載せて上方のみの移動を可能にしている。そこで、羽根１１０が螺旋ガイド２６の端面に突き当たるような場合には、振れ止め装置３全体が上昇して逃げられるように、螺旋ガイド２６の端面にテーパ２６ｂが形成されている。
【００２０】
続いて、こうした構成の昇降振れ止め装置３についてその作用を説明する。杭打機１は、リーダ１４に沿って上昇したオーガ２に鋼管杭１００が連結され、そのオーガ２の駆動によって鋼管杭１００に回転が与えられる。そして、回転しながら下降する鋼管杭１００は、羽根１１０，１１０…の推進力によって地中へと掘進する。ところが、こうして鋼管杭１００が地盤を掘進してく場合、例えば鋼管杭１００の先端が地中に埋まっている石などに当たると、その抵抗によって鋼管杭１００に横荷重がかかって振れが生じることがある。しかし、そうした場合でも、鋼管杭１００は、その軸部１２０が螺旋ガイド２６，３６のガイド面２６ａ，３６ａに当たって径方向の移動が拘束されるため、鋼管杭１００を芯振れすることなく軸芯に沿って真っ直ぐに打ち込むことができる。
【００２１】
こうして地中へと打ち込まれる鋼管杭１００は、打ち込みに従って羽根１１０が螺進し、その位置が徐々に下がって振れ止め装置３へと達する。本実施形態では、そうした場合でも開閉アーム２１，３１を開けることなく閉じたまま鋼管杭１００の振れ止めを継続させることができる。この振れ止め装置３によれば、鋼管杭１００をガイドする螺旋ガイド２６，３６を羽根１１０が通り抜けられるようになっているからである。具体的には、カラー２５，３５内に進入してきた羽根１１０は、テーパ２６ｂが形成された螺旋ガイド２６の上端面側から入り、図４に示すように螺旋ガイド２６，３６のねじり、即ちその螺旋形状に沿ってカラー２５，３５内を進む。そうして螺進した羽根１１０は、螺旋ガイド２６，３６に沿って一回転して振れ止め装置３の下側へと抜け出る。
【００２２】
一方、螺進する羽根１１０の進路上に螺旋ガイド２６，３６が重なってしまうような場合には、羽根１１０がテーパ２６ｂに当たって螺旋ガイド２６の下側に羽根１１０が潜り込む。このとき、振れ止め装置３がリーダ１４に沿って昇降可能なため、羽根１１０がテーパ２６ｂを滑ることによって螺旋ガイド２６，３６が羽根１１０に乗り上げて振れ止め装置３が持ち上がる。そのため、羽根１１０は、振れ止め装置３を載せ、その螺旋ガイド２６，３６の下面を滑って回転する。そして、前述した場合と同様に螺旋ガイド２６，３６に沿って一回転して振れ止め装置３の下側へと抜け出る。羽根１１０の通り抜けに際し一旦持ち上げられた振れ止め装置３は、羽根の螺進に従って再び下降してストッパ１６上に戻される。
【００２３】
よって、このような本実施形態の振れ止め装置３によれば、鋼管杭１００の軸部１２０を軽くホールドして芯振れを防止するとともに、開閉アーム２１，３１を開くことなく羽根１１０を通過させることができる。そのため、常に軸部１２０をガイドして鋼管杭１００の振れ止めを行うことができ、羽根１１０の通過時にも振れ止め効果があるので、精度の良い確実な施工ができるようになった。そして、羽根１１０の通過の度に煩わしい開閉アーム２１，３１の開閉作業を行う必要もなくなった。
【００２４】
ところで、前記第１実施形態では、振れ止め装置３のガイド部材に螺旋状にねじられた板状の螺旋ガイド２６，３６を使用したが、螺旋状に形成したガイド部材にはこれ以外にも様々なものが考えられる。そこで、次に螺旋ガイドの変形例に基づく振れ止め装置を図５乃至図７に示して説明する。なお、螺旋ガイド以外の構成は図２に示す振れ止め装置３と同様に構成されているため、ほぼ左右対称に構成された片側の開閉アーム部分のみを図示して説明する。
【００２５】
図５は、振れ止め装置の第２形態を示した図であり、具体的に図５（ａ）は一方の開閉アームを示した平面図で、図５（ｂ）はその側面図である。本形態のガイド部材４１は、一対の開閉アーム４２にそれぞれ丸棒を利用して構成されたものである。具体的には、半円筒状のカラー４３に複数のガイド棒４４，４４…を半径方向に突設させたものであり、一対のカラー４３，４３のほぼ一周分の範囲において、羽根１１０のピッチに対応するように螺旋状に並べられている。
【００２６】
そこで、本形態では、鋼管杭１００が地盤へと打ち込まれていき、羽根１１０の位置が徐々に下がって振れ止め装置を通過する際、その羽根１１０は、ガイド部材４１を構成するガイド棒４４，４４…に沿って螺進して下側へと通り抜ける。そして、打ち込まれる間の鋼管杭１００に振れが生じても、ガイド棒４４，４４…によって軸部１２０が径方向の移動を制限される。
【００２７】
従って、本形態の振れ止め装置によれば、前記形態のものと同様に、複数の羽根１１０，１１０…をもった鋼管杭１００の場合でも開閉アーム４２を開く必要がない。それによって、常に軸部１２０をガイドして鋼管杭１００の振れ止めを行うことができ、羽根１１０の通過時にも振れ止め効果があるので、精度の良い確実な施工ができるようになった。そして、羽根１１０の通過の度に煩わしい開閉アーム４２の開閉作業を行う必要もなくなった。更に、本形態のガイド部材４１は、羽根１１０と接触する場合の接触面が少なくなるので、羽根１１０の上にガイド部材４１が乗り上げるような場合でも鋼管杭１００の回転を妨げる摩擦抵抗は小さくなる。
【００２８】
次に、図６は、振れ止め装置の第３形態を示した図であり、具体的に図６（ａ）は一方の開閉アームの平面図で、図６（ｂ）はその側面図である。本形態のガイド部材５１は、一対の開閉アーム５２にそれぞれ台形のブロックを利用して構成されたものである。具体的には、半円筒状のカラー５３に複数のガイドブロック５４，５４…を半径方向に突設させたものであり、一対のカラー５３のほぼ一周分の範囲において、羽根１１０のピッチに対応して螺旋状に並べられている。そして、羽根１１０が突き当たる可能性のある進入口のガイドブロック５４にはテーパ５４ａが形成されている。
【００２９】
そこで、本形態では、鋼管杭１００が地盤へと打ち込まれていき、羽根１１０の位置が徐々に下がって振れ止め装置を通過する際、その羽根１１０は、ガイド部材５１を構成するガイドブロック５４，５４…に沿って螺進して下側へと通り抜ける。そして、打ち込まれる間の鋼管杭１００に振れが生じても、ガイドブロック５４，５４…によって軸部１２０が径方向の移動が制限される。
【００３０】
従って、本形態の振れ止め装置によっても複数の羽根１１０，１１０…をもった鋼管杭１００の場合でも開閉アーム５２を開く必要がない。それにより、常に軸部１２０をガイドして鋼管杭１００の振れ止めを行うことができ、羽根１１０の通過時にも振れ止め効果があるので、精度の良い確実な施工ができるようになった。そして、羽根１１０の通過の度に煩わしい開閉アーム５２の開閉作業を行う必要もなくなった。
【００３１】
次に、図７は、振れ止め装置の第４形態を示した図であり、具体的に図７（ａ）は一方の開閉アームの平面図で、図６（ｂ）はその側面図である。本形態のガイド部材６１は、一対の開閉アーム６２に羽根１１０を通すためのガイド溝６３が形成されたものである。開閉アーム６２には溝ブロック６４が一体に形成され、その溝ブロック６４には、半円形の縦溝６５が鋼管杭１００の軸部１２０の径よりも僅かに大きく円を構成するように形成されている。そして、その溝ブロック６４には更に、上から下に抜ける連続した螺旋状のガイド溝６３，６３が羽根１１０のピッチに対応して形成されている。なお、図示する溝ブロック６４には上下２箇所に螺旋溝６３，６３が形成され、もう一方の図示しない溝ブロック６４に、これら螺旋溝６３，６３に連続する中間の螺旋溝６３が形成されている。
【００３２】
そこで、本形態では、鋼管杭１００が地盤へと打ち込まれていき、羽根１１０の位置が徐々に下がって振れ止め装置を通過する際、その羽根１１０は、ガイド部材６１を構成するガイド溝６３，６３，６３内を螺進して下側へと通り抜ける。そして、打ち込まれる間の鋼管杭１００に振れが生じても、溝ブロック６４，６４の縦溝６５，６５によって軸部１２０が径方向の移動を制限される。
【００３３】
従って、本形態の振れ止め装置によれば、前記形態のものと同様に、複数の羽根１１０，１１０…をもった鋼管杭１００の場合でも開閉アーム６２を開く必要がない。それにより、常に軸部１２０をガイドして鋼管杭１００の振れ止めを行うことができ、羽根１１０の通過時にも振れ止め効果があるので、精度の良い確実な施工ができるようになった。そして、羽根１１０の通過の度に煩わしい開閉アーム６２の開閉作業を行う必要もなくなった。
【００３４】
ところで、振れ止め装置３は、リーダ１４に対して昇降可能に取り付けられているため、例えば螺旋ガイド２６へ羽根１１０が突き当たるような場合（図４参照）、螺旋ガイド２６を上方へ逃がすことができる。しかしながら、そうした場合、羽根１１０に振れ止め装置３全体の荷重がかかってしまうため、螺旋ガイド２６，３６との摩擦抵抗などによって回転が妨げられることが考えられる。また、羽根１１０のピッチどうりに鋼管杭１００が地中に入らない場合に、羽根１１０が、例えば螺旋ガイド２６，３６に沿って通り抜けられなくなることが考えられる。そこで、次に振れ止め装置３の高さ位置を任意に調整できるような杭打機への取り付け構造について説明する。
【００３５】
図８はその一例であり、振れ止め装置３を不図示のウインチで引っ張り上げるようにしたものである。振れ止め装置３は、リーダ１４に沿って垂らされたワイヤロープ７１に吊されている。そのワイヤロープ７１は、杭打機１或いはオーガ２に設けられている不図示のウインチから送り出されたものであり、そのウインチの駆動によって振れ止め装置３の高さを任意に調整できるようにする。
一方、図９は他の例であり、振れ止め装置３をシリンダ７２で引き上げるようにしたものである。振れ止め装置は３、リーダ１４に固定されたシリンダ７２のピストンロッド７３先端に連結されている。シリンダ７２は、リーダ１４の一側面に軸支され、下降するオーガ２とは干渉しないように配置されている。
【００３６】
そこで、羽根１１０が所定位置まで下降したところでウインチやシリンダ７１を駆動し、螺進する羽根１１０が突き当たる位置から螺旋ガイド２６，３６（ガイド部材４１，５１，６１の場合も同様、以下同じ）を逃がすように振れ止め装置３の高さを調整する。また、羽根１１０のピッチどうりに鋼管杭１００が地中に入らない場合にも振れ止め装置３の高さを調整して、羽根１１０が螺旋ガイド２６，３６を通り抜けられるようにする。
【００３７】
更に、他の方法として羽根１１０の下降に振れ止め装置３を追随させることも考えられる。図１０は、そうした振れ止め装置を示した図であり、図１１は、羽根１１０が振れ止め装置３を通過する際の状態を示した図である。これは、羽根１１０によって螺旋ガイド２６，３６を押さえ付けるようにしたものであり、振れ止め装置３をストッパ１６の上にバネ８１で支持し、取り付け位置から下方と上方の両方に自由度をもたせている。そして、螺進する羽根１１０が螺旋ガイド２６に突き当たるような場合には、その螺旋ガイド２６が下方へ逃げるように、端面に上方に傾斜したテーパ２６ｄが形成されている。
【００３８】
そこで、こうして取り付けられた振れ止め装置３によれば、螺進する羽根１１０が螺旋ガイド２６に突き当たるような場合でも、バネ８１が圧縮されて振れ止め装置３全体が下降し、螺旋ガイド２６が下方に逃げることができる。また、羽根１１０のピッチどうりに鋼管杭１００が地中に入らない場合にでも、羽根１１０の回転にならって螺旋ガイド２６，３６が上昇して、羽根１１０が螺旋ガイド２６，３６を通り抜けられる。
【００３９】
以上、振れ止め装置の一実施形態について説明したが、本発明はこれに限定されることなく様々な変更が可能である。
たとえば、前記実施形態の振れ止め装置は、鋼管杭をくわえ込めるように一対の開閉アームによって構成したが、羽根の通過に際して開閉させる必要がないため、開閉アームとしないで環状にした一体ものとして形成してもよい。
また、前記実施形態では、ガイドギブを設けて振れ止め装置自体をリーダに沿って摺動可能にする構成を示したが、振れ止め装置はリーダの下端に固定し、例えばガイド部材を備えたカラー２５，３５を開閉アーム２１，３１に対して上下動できるようにしてもよい。
一方、羽根のピッチどうりに鋼管杭が入らない場合にはオーガを上下動させることで羽根を通過させることができるので、螺旋状のガイド部材を備えるものであればガイドギブなどの構成は必ずしも必要ではなく、振れ止め装置をリーダに固定させるようにしてもよい。
【００４０】
【発明の効果】
本発明は、羽根が通過可能な大きさの径で形成された円筒状の枠体内に、軸部の径方向移動を制限するように突設されたガイド部材を、羽根のピッチに対応して螺旋状に形成したので、杭の振れ止め状態で羽根を通過させることができる振れ止め装置を提供することが可能となった。
【図面の簡単な説明】
【図１】本発明に係る振れ止め装置を備える杭打機を示した側面図である。
【図２】振れ止め装置の一実施形態を示した平面図である。
【図３】振れ止め装置を構成する開閉アームを示した側面図である。
【図４】鋼管杭の羽根が振れ止め装置を通過する際の状態を示した図である。
【図５】振れ止め装置の第２形態を示した図である。
【図６】振れ止め装置の第３形態を示した図である。
【図７】振れ止め装置の第４形態を示した図である。
【図８】ウインチを利用した振れ止め装置の取り付け構造を示した図である。
【図９】シリンダを利用した振れ止め装置の取り付け構造を示した図である。
【図１０】バネを利用した振れ止め装置の取り付け構造を示した図である。
【図１１】鋼管杭の羽根が振れ止め装置を通過する際の状態を示した図である。
【図１２】従来の振れ止め装置を備える杭打機を示した側面図である。
【符号の説明】
１          杭打機
２          オーガ
３          振れ止め装置
１４        リーダ
１５        ガイドロッド
２１，３１  開閉アーム
２５，３５  枠体
２６，３６  螺旋ガイド
２７，３７  ガイドギブ
１００      鋼管杭
１１０      羽根
１２０      軸部
【図１】
0004560233.tif 000002
【図２】
0004560233.tif 000003
【図３】
0004560233.tif 000004
【図４】
0004560233.tif 000005
【図５】
0004560233.tif 000006
【図６】
0004560233.tif 000007
【図７】
0004560233.tif 000008
【図８】
0004560233.tif 000009
【図９】
0004560233.tif 000010
【図１０】
0004560233.tif 000011
【図１１】
0004560233.tif 000012
【図１２】
0004560233.tif 000013